(57)【要約】【課題】      製作が容易な釣用容器を提供することである。【解決手段】  柔軟性を有する薄い合成樹脂シ−トで形成された底部構成部材１と側部構成部材２が薄い合成樹脂シ−トで帯状の連結部材３を介して高周波加熱処理の溶着接合で略直方体状に一体に形成されている。  薄い合成樹脂シ−トの材料は、ＥＶＡ（エチレン酢酸ビニ−ル）、ＰＶＣ（ポリ塩化ビニ−ル）、ＰＥ（ポリエチレン）等を用いた防水性を有するシ−トが使用されている。  底部構成部材１は横断面矩形で、底部１ａの周囲に折曲部１ｂを介して上向きに突片１ｃが一体に形成されて縦断面カップ状に図示しない金型で成形されている。  側部構成部材２の側壁２ａの下端部２ｃの縁部２ｄは、底部構成部材１と側部構成部材２が連結部材３を介して溶着接合される時突片１ｃの上縁１ｄの上に載せられる。【選択図】        図５
2005328802.tif 000002
【特許請求の範囲】
【請求項１】
柔軟性を有する合成樹脂からなる側部構成部材と底部構成部材を接合して形成した釣用容器において、前記側部構成部材と前記底部構成部材の接合部分は、前記底部構成部材の底部に折曲部を介して前記側部構成部材へ向かう突片を一体に形成し、前記突片を前記側部構成部材の側壁の下端部とを突き合わせ状に配置して、前記底部構成部材の前記突片と前記側部構成部材の側壁の下端部を合成樹脂からなる連結部材を介して溶着したことを特徴とする釣用容器。
【請求項２】
連結部材は、帯状に形成され、突片を側部構成部材の側壁の下端部とを突き合わせ状に配置した部分に沿って取り付けられていることを特徴とする請求項１記載の釣用容器。
【請求項３】
連結部材は、釣用容器の外側に設けられ、底部構成部材の突片と側部構成部材の側壁の下端部の両方に溶着されていることを特徴とする請求項１又は２記載の釣用容器。
【請求項４】
底部構成部材の突片と側部構成部材の側壁の下端部は互いに溶着されていることを特徴とする請求項１乃至３記載の釣用容器。
【請求項５】
底部構成部材の突片と側部構成部材の側壁の下端部との間に連結部材が介在していることを特徴とする請求項１乃至４記載の釣用容器。
【請求項６】
柔軟性を有する合成樹脂からなる側部構成部材と底部構成部材を接合して形成した釣用容器を製造するにあたり、前記側部構成部材と前記底部構成部材の接合部分は、前記底部構成部材の底部に折曲部を介して前記側部構成部材へ向かう突片を一体に形成し、前記突片を前記側部構成部材の側壁の下端部とを突き合わせ状に配置して、前記底部構成部材の前記突片と前記側部構成部材の側壁の下端部を合成樹脂からなる連結部材を介して溶着したことを特徴とする釣用容器の製造方法。
【発明の詳細な説明】
【技術分野】
【０００１】
本発明は、魚釣り等のレジャ−に用いる釣用容器とその製造方法に関する。
【背景技術】
【０００２】
従来から例えば特許文献１公報のようにＥＶＡ（エチレン酢酸ビニ−ル）等の合成樹脂シ−トで形成した釣用容器が用いられている。
これらの釣用容器は、撒き餌や生き餌用の餌入れ、魚入れ容器、水汲み用容器（バケツ）、濡れ物入れ容器、その他釣用小物入れなど多くの用途に使用されている。
しかし、特許文献１公報の容器では、該公報及び従来例図８のように、容器の底縁部となる側部１１と底部１２の接合部分が、底部側を丸めてその上に外側に折曲した側部を重ね合わせて溶着されている。
又、従来例図９のように、容器の底縁部となる側部１１と底部１２の接合部分が、平面同志を重ね合わせて溶着されている場合もある。
前記のように接合部分が外側に突出するように形成されていると、突出部が身体や衣類に当り、傷付けたり、内側の隅部に撒き餌１３や生き餌が入り込んで取り出し難くなるという問題をかかえている。
又、容器の中を掃除する時も、内側の隅部に入り込んだ撒き餌１３や生き餌は残ってしまい、悪臭を放つ原因にもなっている。
前記特許文献１の不具合を改善するため本出願人は特許文献２を提案した。
【０００３】
しかし、特許文献２公報の容器では、底部に折曲部を一体に形成しており、側部と底部が外側へ突出して接合されることはないが、底部構成部材の突片と側部構成部材の側壁の下端部を重ね合わせて溶着しているため溶着具合いによって接合部分に段差が残ることがあり、また重ね合わせ状態によって曲がって溶着されることがあり製造作業に熟練を要した。
【特許文献１】実開昭６３−１５３９４５号公報
【特許文献２】特開平１１−１６９０４８号公報
【発明の開示】
【発明が解決しようとする課題】
【０００４】
解決しようとする問題点は、不具合を改善した特許文献２公報の容器では、底部に折曲部を一体に形成しており、側部と底部が外側へ突出して接合されることはないが、底部構成部材の突片と側部構成部材の側壁の下端部を重ね合わせて溶着しているため溶着具合いによって接合部分に段差が残ることがあり、また重ね合わせ状態によって曲がって溶着されることがあり製造作業に熟練を要することである。
【０００５】
本発明の目的は前記欠点に鑑み、接合部分が外側に突出して突出部が身体や衣類に当り、傷付けたりすることが防止され、容器内の接合部分に撒き餌が残りにくく、また、製作が容易な釣用容器を提供することである。
【課題を解決するための手段】
【０００６】
本発明の請求項１は、柔軟性を有する合成樹脂からなる側部構成部材と底部構成部材を接合して形成した釣用容器において、前記側部構成部材と前記底部構成部材の接合部分は、前記底部構成部材の底部に折曲部を介して前記側部構成部材へ向かう突片を一体に形成し、前記突片を前記側部構成部材の側壁の下端部とを突き合わせ状に配置して、前記底部構成部材の前記突片と前記側部構成部材の側壁の下端部を合成樹脂からなる連結部材を介して溶着したことを要旨とするものである。
本発明の請求項２は、連結部材は、帯状に形成され、突片を側部構成部材の側壁の下端部とを突き合わせ状に配置した部分に沿って取り付けられていることを要旨とするものである。
本発明の請求項３は、連結部材は、釣用容器の外側に設けられ、底部構成部材の突片と側部構成部材の側壁の下端部の両方に溶着されていることを要旨とするものである。
【０００７】
本発明の請求項４は、底部構成部材の突片と側部構成部材の側壁の下端部は互いに溶着されていることを要旨とするものである。
本発明の請求項５は、底部構成部材の突片と側部構成部材の側壁の下端部との間に連結部材が介在していることを要旨とするものである。
本発明の請求項６は、柔軟性を有する合成樹脂からなる側部構成部材と底部構成部材を接合して形成した釣用容器を製造するにあたり、前記側部構成部材と前記底部構成部材の接合部分は、前記底部構成部材の底部に折曲部を介して前記側部構成部材へ向かう突片を一体に形成し、前記突片を前記側部構成部材の側壁の下端部とを突き合わせ状に配置して、前記底部構成部材の前記突片と前記側部構成部材の側壁の下端部を合成樹脂からなる連結部材を介して溶着して製造していることを要旨とするものである。
【発明の効果】
【０００８】
本発明の請求項１〜５の各項により、底部構成部材の突片と側部構成部材の側壁の下端部とを突き合わせ状に配置しているため、接合部にゴミや撒き餌等が残りにくい。
請求項３により、釣用容器の外側に連結部材が溶着されているため、接合部分が確実に接合され、釣用容器の内側にゴミや撒き餌等が残りにくい。
請求項４により、突き合わせ状に配置した底部構成部材の突片と側部構成部材の側壁の下端部が互いに溶着されているため、接合部における底部構成部材の突片と側部構成部材の側壁の下端部の間にゴミや撒き餌等が入り込むことが防止される。
請求項５により、突き合わせ状に配置した底部構成部材の突片と側部構成部材の側壁の下端部との間に連結部材が介在しているため、接合部における底部構成部材の突片の上端（上縁）と側部構成部材の側壁の下端部の間にゴミや撒き餌等が入り込むことが防止される。
請求項６により、側部構成部材と底部構成部材の接合部分は、突片を前記側部構成部材の側壁の下端部と突き合わせ状に配置するため両者の位置合わせが容易になり、ずれが防止される。
【発明を実施するための最良の形態】
【０００９】
釣用容器は、柔軟性を有する薄い合成樹脂シ−トで形成された底部構成部材１と側部構成部材２が薄い合成樹脂シ−トで帯状の連結部材３を介して高周波加熱処理の溶着接合で接合されて略直方体状に一体に形成されている。
合成樹脂シ−トの材料は、ＥＶＡ（エチレン酢酸ビニ−ル）、ＰＶＣ（ポリ塩化ビニ−ル）、ＰＥ（ポリエチレン）等を用いた防水性を有するシ−トが使用されている。
底部構成部材１は横断面矩形で、底部１ａの周囲に折曲部１ｂを介して上向きに突片１ｃが一体に形成されてカップ状に図示しない金型で成形されている。
側部構成部材２は横断面矩形の筒状に側壁２ａが形成されて開口縁は図４、図５のようにフレ−ム４を巻き込んでａ部で溶着されると共に端部２ｂが外側に突出されている。
側部構成部材２の側壁２ａの下端部２ｃの縁部２ｄは、底部構成部材１と側部構成部材２が連結部材３を介して溶着接合される時突片１ｃの上縁１ｄの上に載せられる。
【実施例１】
【００１０】
以下、図示の実施例によって本発明を説明すると、図１から図６は第１実施例で、図１は釣用容器の斜視図、図２は釣用容器の蓋体が開かれた斜視図、図３は釣用容器の平面図、図４は釣用容器の断面側面図、図５は釣用容器の要部拡大断面側面図、図６は釣用容器の製作工程における分解斜視図である。
【００１１】
釣用容器は、柔軟性を有する合成樹脂で形成された底部構成部材１と柔軟性を有する合成樹脂シ−トで形成された側部構成部材２が合成樹脂の帯状の連結部材３を介して高周波加熱処理の溶着接合で接合され、略直方体状の容器体に形成されている。
底部構成部材１や側部構成部材２や連結部材３の合成樹脂材料は、ＥＶＡ（エチレン酢酸ビニ−ル）、ＰＶＣ（ポリ塩化ビニ−ル）、ＰＥ（ポリエチレン）等防水性を有する材料が使用されている。
側部構成部材２は底部構成部材１より厚みが薄く、折り曲げが可能で、これにより釣用容器は折り畳むことができる。
底部構成部材１は、底部１ａの周囲に沿って一体に形成された折曲部１ｂとこの折曲部１ｂを介して上向きに突出する突片１ｃが一体に形成されてカップ状となるように図示しない金型で成形されている。
側部構成部材２は横断面矩形の筒状に側壁２ａが形成されて開口縁は図４、図５のようにフレ−ム４を巻き込んでａ部で溶着されると共に開口縁側の端部２ｂが外側に突出されている。
側部構成部材２の側壁２ａの下端部２ｃの縁部２ｄは、突片１ｃの上縁１ｄに突き合わされた状態で底部構成部材１と側部構成部材２がそれぞれ連結部材３に溶着されることで両者が連結部材３を介して溶着接合される。
さらに、側部構成部材２の側壁２ａの下端部２ｃの縁部２ｄと底部構成部材１の突片１ｃの上縁１ｄが互いに溶着接合されている。
【００１２】
側部構成部材２の開口の上側には蓋体５が載せられ、側部構成部材２の後側上縁に蓋体５が、薄い合成樹脂シ−トで形成された蓋連結部６で連結され、蓋連結部６以外の側部構成部材２と蓋体５間は係合チャック７で開閉自在に閉じられている。
側部構成部材２の長手方向両側には係止具８が固定されて係止具８にベルト９が取り付けられている。
底部構成部材１と側部構成部材２が溶着接合されて一体に形成された釣用容器は薄い合成樹脂シ−トで直方体状に形成されているので、中に物を収容する時は、直方体状の容器形状が維持されるように自立性を有すると共に、側部構成部材２の側壁２ａは中に物を収容しない時は、高さの中間を中折りしてコンパクトに折り畳んで携帯等することができる。
【００１３】
底部構成部材１と側部構成部材２が連結部材３を介して溶着接合されて一体に形成される時は、図６のように底部構成部材１の中に中子型１０が入れられ、中子型１０の外側に側部構成部材２が嵌合されて側部構成部材２の側壁２ａの下端部２ｃの縁部２ｄが底部構成部材１の突片１ｃの上縁１ｄに突き合わせ状に配置される。
側壁２ａの下端部２ｃの縁部２ｄと突片１ｃの上縁１ｄが突き合わされた位置の中子型１０の外側に図示しない高周波加熱処理用の電極が設けられている。
突き合わされた側壁２ａの下端部２ｃの縁部２ｄと突片１ｃの上縁１ｄの外側には帯状の連結部材３が重ねられてその外側から図示しない高周波加熱処理用の電極が当てられて接合部分に設けた連結部材３に沿って押圧しながら移動することで側壁２ａの下端部２ｃと突片１ｃと連結部材３の図５で太線α部分が溶着接合されて底部構成部材１と側部構成部材２と連結部材３が一体に形成される。
また、側壁２ａの下端部２ｃと突片１ｃを突き合わせて接合部分を形成したが、溶着の具合いによって両者が一部重合したり、離れてしまうことも考えられるが、本願の範囲内である。
【００１４】
前記のように釣用容器が構成されると、底部構成部材１の突片１ｃと側部構成部材２の側壁２ａの下端部２ｃとを突き合わせ状に配置しているため、それぞれ縁部２ｄと上縁１ｄが外側や内側に突出して段部が形成されることが防止されるため接合部にゴミや撒き餌等が残りにくい。
また、連結部材３が帯状であると底部構成部材１と側部構成部材２が突き合わせ状に配置した部分に沿って効率よく接合でき、また、その溶着接合の作業も容易に行うことができる。
釣用容器の外側に連結部材３が溶着されているため、接合部分が確実に接合され、釣用容器の内側に連結部材による突部が形成されずゴミや撒き餌等が残りにくい。
また、連結部材３が接合部分に沿って配されてこれを覆うため、接合部分が見えなくなり外観が良好となる。
突き合わせ状に配置した底部構成部材１の突片１ｃの上縁１ｄと側部構成部材２の側壁２ａの下端部２ｃの縁部２ｄが互いに溶着されているため、接合部分が強固に形成され、接合部における底部構成部材１の突片１ｃの上端と側部構成部材２の側壁２ａの下端部２ｃの間にゴミや撒き餌等が入り込むことが防止される。
側部構成部材２と底部構成部材１の接合部分は、突片１ｃを前記側部構成部材２の側壁２ａの下端部２ｃと突き合わせ状に配置するため両者の位置合わせが容易になり、ずれが防止される。
【実施例２】
【００１５】
図７は第２実施例で、図７は釣用容器の要部拡大断面側面図である。
【００１６】
第２実施例では、連結部材３の幅の中央内側に凸部３ａが形成されている。
底部構成部材１と側部構成部材２と連結部材３が溶着接合されて一体に形成される時、底部構成部材１の突片１ｃの上縁１ｄと側部構成部材２の側壁２ａの下端部２ｃの縁部２ｄの間に連結部材３の凸部３ａが介在されるように突き合わせ状に上下に重ねられて太線α部分が溶着接合されて底部構成部材１と側部構成部材２と連結部材３が一体に溶着される。
この場合、突き合わせ状にした底部構成部材１の突片１ｃと側部構成部材２の側壁２ａのそれぞれ上縁１ｄと縁部２ｄが離れていても、両者の間に連結部材３が介在して溶着されることで両者間に段部が形成されることが防止され、ゴミや撒き餌等が入り込むことが防止される。
このように突片１ｃと側壁２ａの下端部２ｃを突き合わせ状にした場合、両者が当接していてもよいし、向かい合わせて近設されていてもよい。
他の構成は前記第１実施例と略同一である。
【産業上の利用可能性】
【００１７】
本発明は釣用容器全般に利用できる。
【図面の簡単な説明】
【００１８】
【図１】第１実施例で、釣用容器の斜視図である。
【図２】同釣用容器の蓋体が開かれた斜視図である。
【図３】同釣用容器の平面図である。
【図４】同釣用容器の断面側面図である。
【図５】同釣用容器の要部拡大断面側面図である。
【図６】同釣用容器の製作工程における分解斜視図である。
【図７】第２実施例で、釣用容器の要部拡大断面側面図である。
【図８】従来の釣用容器の要部拡大断面側面図である。
【図９】従来の他の釣用容器の要部拡大断面側面図である。
【符号の説明】
【００１９】
１  底部構成部材
１ａ  底部
１ｂ  折曲部
１ｃ  突片
２  側部構成部材
２ａ  側壁
２ｂ  下端部
３  連結部材
【図１】
2005328802.tif 000003
【図２】
2005328802.tif 000004
【図３】
2005328802.tif 000005
【図４】
2005328802.tif 000006
【図５】
2005328802.tif 000007
【図６】
2005328802.tif 000008
【図７】
2005328802.tif 000009
【図８】
2005328802.tif 000010
【図９】
2005328802.tif 000011